【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、
該生体情報読取り部で取得された利用者の生体情報と予め記憶部に登録された該利用者の生体情報とを照合することにより生体認証処理を行う生体認証処理モードと、
該入力部から該利用者により入力される暗証情報と予め記憶部に登録された暗証情報とを照合することにより利用者本人の確認を行う暗証情報確認処理モードと、
使用されるカードがＩＣカードである場合、カードが本物かを認証するＩＣカード認証処理モードとを有し、
該生体認証判断手段による判断結果に従って、生体認証が必要な場合には、該生体認証処理モードと該暗証情報確認処理モードによって利用者本人を確認する第１の処理を行い、利用者本人と確認できれば第１の取引を許容し、
生体認証が不要な場合には、該ＩＣカード認証処理モードと該暗証情報確認処理モードによって利用者本人を確認する第２の処理を行い、利用者本人と確認できれば第２の取引を許容し、
該第１の処理における該生体認証処理モードで利用者本人と確認できなかったとき、該暗証情報確認処理モードによって利用者本人を確認する処理を行い、利用者本人と確認できれば前記第２の取引を許容することを特徴とする現金自動取引装置。
【請求項２】
前記第２の取引は出金金額に上限を設けた取引であることを特徴とする請求項１の現金自動取引装置。
【請求項３】
前記第２の取引の出金金額の上限は、金融機関又は利用者により予め決められた値であることを特徴とする請求項２の現金自動取引装置。
【請求項４】
該カードは、利用者に固有の取引情報及び生体情報認証要否情報を記憶部に保持し、該生体認証判断手段は、該カードリーダ部で読取られた該カードの該生体情報認証要否情報に従って生体認証要否を判断することを特徴とする請求項１の現金自動取引装置。
【請求項５】
該表示部は、生体認証による取引及び又はキャッシュカードによる取引の項目を含む画面を表示し、
該生体認証判断手段は、利用者により該画面から生体認証による取引が選択されたことを認識して、該利用者の生体認証要否を判断することを特徴とする請求項１の現金自動取引装置。
【請求項６】
該第１の処理において、生体認証の結果、利用者本人と確認された場合には、該ＩＣカード認証処理モードを実行しないで、該利用者に対する現金の取引を許容することを特徴とする請求項１の現金自動取引装置。
【請求項７】
該第１の処理において、該ＩＣカード認証処理モードを実行しないで行った取引の回数を累計する計算手段を有し、該計算手段によって累計された取引の回数が予め決められた回数に達すると、前記利用者にＩＣカード認証モードによって利用者本人を確認することを特徴とする請求項６の現金自動取引装置。
【請求項８】
該生体情報認証要否情報の内容設定は、該カードを発行する金融機関によって任意に設定可能であることを特徴とする請求項４の現金自動取引装置。
【請求項９】
該生体認証処理モードは、ＩＣカードの場合には該ＩＣカード内で実行され、ＩＣカードでない場合には該現金自動取引装置がネットワークを介して接続されたホストコンピュータ内で実行されることを特徴とする請求項１の現金自動取引装置を含む現金自動取引システム。
【請求項１０】
利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、
該生体情報読取り部で取得された利用者の生体情報と予め記憶部に登録された該利用者の生体情報とを照合することにより生体認証処理を行う生体認証処理モードと、
使用されるカードがＩＣカードである場合、カードが本物かを認証するＩＣカード認証処理モードとを有し、
該生体認証判断手段による判断結果に従って、生体認証が必要な場合には、該生体認証処理モードによって利用者本人を確認する処理を行う第１の処理と、該ＩＣカード認証処理モードによって利用者本人を確認する第２の処理とを並行して行うことを特徴とする現金自動取引装置。
【請求項１１】
更に、該入力部から該利用者により入力される暗証情報と予め記憶部に登録された暗証情報とを照合することにより利用者本人の確認を行う暗証情報確認処理モードを有し、該第１の処理及び又は該第２の処理の後に該暗証情報確認処理モードを実行することを特徴とする請求項１０の現金自動取引装置。
【請求項１２】
該表示部は、取引種別の選択に関する情報を示す第１の画面と、本人確認方法の選択に関する情報を示す第２の画面と、を表示し、
該主制御部は、該第２の画面よりも該第１の画面を先に表示しておき、該第１の画面を通して選択された取引の処理を行う間に、該第２の画面を表示することを特徴とする請求項１０の現金自動取引装置。
【請求項１３】
該表示部は、取引種別の選択に関する情報を示す第１の画面と、本人確認方法の選択に関する情報を示す第２の画面と、を表示し、
該主制御部は、該第１の画面よりも該第２の画面を先に表示しておき、該第２の画面を通して選択された本人確認方法の処理を行う間に、該第１の画面を表示することを特徴とする請求項１０の現金自動取引装置。
【請求項１４】
該第１の処理による該生体認証処理モードで利用者本人と確認でき、かつ、該第２の処理による該ＩＣカード認証処理モードで利用者本人と確認できれば第１の取引を許容し、
該第１の処理による該生体認証処理モードで利用者本人と確認できず、かつ、該第２の処理による該ＩＣカード認証処理モードで利用者本人と確認できれば第２の取引を許容することを特徴とする請求項１０の現金自動取引装置。
【請求項１５】
前記第２の取引は、出金金額に上限を設けた取引であることを特徴とする請求項１４の現金自動取引装置。
【請求項１６】
前記第２の取引の出金金額の上限は、金融機関又は利用者により予め決められた値であることを特徴とする請求項１５の現金自動取引装置。
【手続補正２】
【補正対象書類名】明細書
【補正対象項目名】００１０
【補正方法】変更
【補正の内容】
【００１０】
本発明に係る現金自動取引装置は、好ましくは、利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、該生体情報読取り部で取得された利用者の生体情報と予め記憶部に登録された該利用者の生体情報とを照合することにより生体認証処理を行う生体認証処理モードと、該入力部から該利用者により入力される暗証情報と予め記憶部に登録された暗証情報とを照合することにより利用者本人の確認を行う暗証情報確認処理モードと、使用されるカードがＩＣカードである場合、カードが本物かを認証するＩＣカード認証処理モードとを有し、
該生体認証判断手段による判断結果に従って、生体認証が必要な場合には、該生体認証処理モードと該暗証情報確認処理モードによって利用者本人を確認する第１の処理を行い、利用者本人と確認できれば第１の取引を許容し、
生体認証が不要な場合には、該ＩＣカード認証処理モードと該暗証情報確認処理モードによって利用者本人を確認する第２の処理を行い、利用者本人と確認できれば第２の取引を許容し、
該第１の処理における該生体認証処理モードで利用者本人と確認できなかったとき、該暗証情報確認処理モードによって利用者本人を確認する処理を行い、利用者本人と確認できれば前記第２の取引を許容することを特徴とする現金自動取引装置として構成される。
好ましい例では、前記第２の取引は出金金額に上限を設けた取引である。
また、一例では、前記第２の取引の出金金額の上限は、金融機関又は利用者により予め決められた値である。
また、好ましくは、該カードは、利用者に固有の取引情報及び生体情報認証要否情報を記憶部に保持し、該生体認証判断手段は、該カードリーダ部で読取られた該カードの該生体情報認証要否情報に従って生体認証要否を判断する。
また、好ましくは、該表示部は、生体認証による取引及び又はキャッシュカードによる取引の項目を含む画面を表示し、該生体認証判断手段は、利用者により該画面から生体認証による取引が選択されたことを認識して、該利用者の生体認証要否を判断する。
また、好ましくは、該第１の処理において、生体認証の結果、利用者本人と確認された場合には、該ＩＣカード認証処理モードを実行しないで、該利用者に対する現金の取引を許容する。
また、好ましくは、該第１の処理において、該ＩＣカード認証処理モードを実行しないで行った取引の回数を累計する計算手段を有し、該計算手段によって累計された取引の回数が予め決められた回数に達すると、前記利用者にＩＣカード認証モードによって利用者本人を確認する。
また、好ましくは、該生体情報認証要否情報の内容設定は、該カードを発行する金融機関によって任意に設定可能である。
また、好ましくは、該生体認証処理モードは、ＩＣカードの場合には該ＩＣカード内で実行され、ＩＣカードでない場合には該現金自動取引装置がネットワークを介して接続されたホストコンピュータ内で実行される。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、本発明に係る現金自動取引装置は、好ましくは、利用者に対して取引きのための案内を表示する表示部と、取引きのための入力を行う入力部と、取引きに使用されるカードの情報を読み取るカードリーダ部を有するカード機構と、利用者の生体情報を読取る生体情報読取り部と、取引きに用いられる情報を記憶する記憶部と、これら各部を制御し、取引のための処理を行う主制御部とを具備する現金自動取引装置において、
利用者の生体認証要否を判断する生体認証判断手段と、該生体情報読取り部で取得された利用者の生体情報と予め記憶部に登録された該利用者の生体情報とを照合することにより生体認証処理を行う生体認証処理モードと、使用されるカードがＩＣカードである場合、カードが本物かを認証するＩＣカード認証処理モードとを有し、該生体認証判断手段による判断結果に従って、生体認証が必要な場合には、該生体認証処理モードによって利用者本人を確認する処理を行う第１の処理と、該ＩＣカード認証処理モードによって利用者本人を確認する第２の処理とを並行して行うことを特徴とする現金自動取引装置として構成される。
好ましい例では、更に、該入力部から該利用者により入力される暗証情報と予め記憶部に登録された暗証情報とを照合することにより利用者本人の確認を行う暗証情報確認処理モードを有し、該第１の処理及び又は該第２の処理の後に該暗証情報確認処理モードを実行する。
また、好ましくは、該表示部は、取引種別の選択に関する情報を示す第１の画面と、本人確認方法の選択に関する情報を示す第２の画面と、を表示し、該主制御部は、該第２の画面よりも該第１の画面を先に表示しておき、該第１の画面を通して選択された取引の処理を行う間に、該第２の画面を表示する。
また、好ましくは、該表示部は、取引種別の選択に関する情報を示す第１の画面と、本人確認方法の選択に関する情報を示す第２の画面と、を表示し、該主制御部は、該第１の画面よりも該第２の画面を先に表示しておき、該第２の画面を通して選択された本人確認方法の処理を行う間に、該第１の画面を表示する。
また、好ましくは、該第１の処理による該生体認証処理モードで利用者本人と確認でき、かつ、該第２の処理による該ＩＣカード認証処理モードで利用者本人と確認できれば第１の取引を許容し、該第１の処理による該生体認証処理モードで利用者本人と確認できず、かつ、該第２の処理による該ＩＣカード認証処理モードで利用者本人と確認できれば第２の取引を許容する。